(57)【要約】  一般式（Ｉ）［ここで、符号は次の意味を有する：Ｒは、同じか又は異なり、線状又は分枝鎖状のＣ2〜Ｃ6−アルキレン基であり；Ｂは、分枝であり；Ｅは、式（ＩＩ）のアルキレンオキシ単位であり、Ｒ1は１，２−プロピレン、１，２−ブチレン及び／又は１，２−イソブチレンであり；Ｒ2はエチレンであり；Ｒ3は１，２−プロピレンであり；Ｒは同じか又は異なる基：水素；Ｃ1〜Ｃ4−アルキルであり；ｘ、ｙ、ｚはその都度２〜１５０の数であり、ここでｘ＋ｙ＋ｚの総和は、３００〜１０ ０００のアルコキシル化前のポリアルキレンイミンの平均分子量Ｍwに対応するアルキレンイミン単位の数を意味し；ｍは０〜２の有理数であり；ｎは６〜１８の有理数であり；ｐは３〜１２の有理数であり、ここで０．８≦ｎ／ｐ≦１．０（ｘ＋ｙ＋ｚ）1/2である］の両親媒性の水溶性アルコキシル化ポリアルキレンイミン、及びそれらの四級化生成物。
2008535991.tif 000002
【特許請求の範囲】
【請求項１】
一般式Ｉ
【化１】
2008535991.tif 000016
［式中、符号は次の意味を有する：
Ｒは、同じか又は異なり、線状又は分枝鎖状のＣ2〜Ｃ6−アルキレン基であり；
Ｂ、は分枝であり；
Ｅは、式
【化２】
2008535991.tif 000017
で示されるアルキレンオキシ単位であり、
Ｒ1は、１，２−プロピレン、１，２−ブチレン及び／又は１，２−イソブチレンであり；
Ｒ2は、エチレンであり；
Ｒ3は、１，２−プロピレンであり；
Ｒ4は、同じか又は異なる基：水素；Ｃ1〜Ｃ4−アルキルであり；
ｘ、ｙ、ｚはその都度２〜１５０の数であり、ここでｘ＋ｙ＋ｚの総和は、３００〜１０ ０００のアルコキシル化前のポリアルキレンイミンの平均分子量Ｍwに対応するアルキレンイミン単位の数を意味し；
ｍは０〜２の有理数であり；
ｎは６〜１８の有理数であり；
ｐは３〜１２の有理数であり、ここで０．８≦ｎ／ｐ≦１．０（ｘ＋ｙ＋ｚ）1/2である］で示される両親媒性の水溶性アルコキシル化ポリアルキレンイミン、
及びそれらの四級化生成物。
【請求項２】
Ｒがエチレンを表す、請求項１記載のアルコキシル化ポリアルキレンイミン。
【請求項３】
Ｒ4が水素を表す、請求項１又は２記載のアルコキシル化ポリアルキレンイミン。
【請求項４】
ｎが７〜１５の有理数を表し、かつｐが４〜１０の有理数を表し、こここで０．９≦ｎ／ｐ≦０．８（ｘ＋ｙ＋ｚ）1/2である、請求項１から３までのいずれか１項記載のアルコキシル化ポリアルキレンイミン。
【請求項５】
ｎが８〜１２の有理数を表し、かつｐが５〜８の有理数を表し、ここで１．０≦ｎ／ｐ≦０．６（ｘ＋ｙ＋ｚ）1/2である、請求項１から４までのいずれか１項記載のアルコキシル化ポリアルキレンイミン。
【請求項６】
ｘ＋ｙ＋ｚの総和が、５００〜７５００のアルコキシル化前のポリアルキレンイミンの平均分子量Ｍwに対応するアルキレンイミン単位の数を意味する、請求項１から５までのいずれか１項記載のアルコキシル化ポリアルキレンイミン。
【請求項７】
ｘ＋ｙ＋ｚの総和が、１０００〜６０００のアルコキシル化前のポリアルキレンイミンの平均分子量Ｍwに対応するアルキレンイミン単位の数を意味する、請求項１から６までのいずれか１項記載のアルコキシル化ポリアルキレンイミン。
【請求項８】
含まれている窒素原子の５０％までが四級化されている、請求項１から７までのいずれか１項記載のアルコキシル化ポリアルキレンイミン。
【請求項９】
ｍが０を表す、請求項１から８までのいずれか１項記載のアルコキシル化ポリアルキレンイミン。
【発明の詳細な説明】
【技術分野】
【０００１】
本発明は、一般式Ｉ
【化１】
2008535991.tif 000003
［式中、符号は次の意味を有する：
Ｒは、同じか又は異なり、線状又は分枝鎖状のＣ2〜Ｃ6−アルキレン基であり；
Ｂは、分枝であり；
Ｅは、式
【化２】
2008535991.tif 000004
で示されるアルキレンオキシ単位であり、
Ｒ1は、１，２−プロピレン、１，２−ブチレン及び／又は１，２−イソブチレンであり；
Ｒ2は、エチレンであり；
Ｒ3は、１，２−プロピレンであり；
Ｒ4は、同じか又は異なる基：水素；Ｃ1〜Ｃ4−アルキルであり；
ｘ、ｙ、ｚはその都度２〜１５０の数であり、ここでｘ＋ｙ＋ｚの総和は、３００〜１０ ０００のアルコキシル化前のポリアルキレンイミンの平均分子量Ｍwに対応するアルキレンイミン単位の数を意味し；
ｍは０〜２の有理数であり；
ｎは６〜１８の有理数であり；
ｐは３〜１２の有理数であり、ここで０．８≦ｎ／ｐ≦１．０（ｘ＋ｙ＋ｚ）1/2である］
で示される新規の両親媒性の水溶性アルコキシル化ポリアルキレンイミン及びそれらの四級化生成物に関する。
【０００２】
界面活性剤に加えて、ポリマーも、洗濯用洗剤及び洗浄剤(Wasch- und Reinigungsmittel)用の汚れ剥離を促進する添加剤として使用される。公知のポリマーは、例えば、汚染顔料、例えば粘土鉱物又はカーボンブラックの分散剤として、及び既に剥がれた汚れの再付着を防止する添加剤として、極めて良好に適している。しかし、そのような分散剤は、特に低温の場合に、表面から油性汚れを除去する際に十分に効果がない。
【０００３】
国際公開(WO-A)第99/67352号パンフレットには、洗浄の際に剥がれた油性汚れの清浄化された紡織繊維上への再沈着(Wiederabsetzen)を防止するはずであり、かつ内側ポリプロピレンオキシドブロック及び外側の、明らかにより大きなポリエチレンオキシドブロックを有し、アルコキシル化されたポリエチレンイミンをベースとし、疎水性汚れ用の過酸化物系漂白剤と相溶性の分散剤が記載されている。
【０００４】
米国特許(US-A)第5 565 145号明細書においては、無極性の粒状汚れ用の分散剤として、活性ＮＨ基あたり４個までのプロピレンオキシド単位を窒素原子に直接結合されて含有していてよい、非荷電のアルコキシル化されたポリエチレンイミンが推奨されている。しかしながら、好ましくはかつ例示的に、専らエトキシル化されているか又は多くとも初期プロポキシル化されている、すなわちＮＨ基あたりプロピレンオキシド最大１molを有するポリエチレンイミンが証明されている。
【０００５】
これらのアルコキシル化されたポリエチレンイミンも、親水性の汚染顔料のためにも確かに良好な分散剤であるが、しかしながら油汚れの場合に満足すべき洗浄結果を示さない。
【０００６】
内側ポリエチレンオキシドブロック及び外側ポリプロピレンオキシドブロックを有するポリエチレンイミンは、まだこれまで、洗濯用洗剤又は洗浄剤において使用されていない。
【０００７】
米国特許(US-A)第4 076 497号明細書からは、分散染料でポリエステル繊維及びセルロース繊維を染色するための助剤としての、活性ＮＨ基１molあたり合計でアルキレンオキシド３０mol及びそのうちプロピレンオキシド少なくとも１５molと反応されている、まず最初にエトキシル化され、ついでプロポキシル化されたポリエチレンイミンの使用が知られている。しかしながら、本発明によるポリアルキレンイミンのアルキレンオキシ鎖は、多くとも１２個のプロピレンオキシ単位を含有する。
【０００８】
独国特許出願公開(DE-A)第22 27 546号明細書には、逆のアルキレンオキシド配列を有するポリエチレンイミンに加えて、まず最初にエトキシル化され、ついでプロポキシル化されているポリエチレンイミンも、原油乳濁液用の破壊剤として記載されている。しかしながら、これらのポリエチレンイミンは、本発明によるポリアルキレンイミンと比較して、アルコキシル化可能なＮＨ基１molあたりアルキレンオキシド少なくとも１０５molの高すぎる全アルコキシル化度及び１．９〜４：１のプロピレンオキシド対エチレンオキシドの多すぎるモル比（又は逆に０．５３〜０．２５のエチレンオキシド対プロピレンオキシドの少なすぎるモル比）を有する。
【０００９】
特開(JP-A)2003-020585号公報には、脱インキプロセスにおけるアルコキシル化されたポリエチレンイミンの使用が記載されている。好ましくは専らエトキシル化されているか又はまたまず最初にエトキシル化され、ついでランダムにエチレンオキシド／プロピレンオキシド混合物でアルコキシル化されているポリエチレンイミンに加えて、平均分子量Ｍw ６００のポリエチレンイミンをベースとし、かつアルコキシル化可能なＮＨ基１molあたりまず最初にエチレンオキシド１００molと、ついでプロピレンオキシド１００molと、ひいては同様に、本発明によるポリアルキレンイミンの場合よりもはるかにずっと多い量のアルキレンオキシドと反応されている生成物も開示されている。
【００１０】
最後に、欧州特許出願公開(EP-A)第359 034号明細書からは、少なくとも２つのポリアルキレンオキシドブロックを含有するポリエチレンイミンをベースとする、非水性顔料分散液を製造するため及び安定化するための助剤が公知である。高級アルキレンオキシドからなる外側ブロックを有するポリエチレンイミンが使用される場合には、常に、まず最初にエトキシル化され、ついでブトキシル化された化合物であり、これらは部分的に、小さなポリプロピレンオキシド中間ブロックを有する。内側ポリエチレンオキシドブロック及び外側ポリプロピレンオキシドブロックを有するポリエチレンイミンは、常に、さらに加えて、α−オレフィンオキシド（α−Ｃ12／Ｃ14−、Ｃ16／Ｃ18−又はＣ20〜Ｃ28−オレフィンオキシド）の活性ＮＨ基１mol当たり少なくとも１molと反応されている。
【００１１】
油性汚れを繊維表面及び硬質表面から除去するための洗濯用洗剤及び洗浄剤への添加剤として適しているポリマーを提供するという課題が本発明の基礎となっていた。特に、これらのポリマーは、低い洗浄温度でも良好な油性汚れを剥がす作用を示すべきであった。
【００１２】
それに応じて、一般式Ｉ
【化３】
2008535991.tif 000005
［式中、符号は次の意味を有する：
Ｒは、同じか又は異なり、線状又は分枝鎖状のＣ2〜Ｃ6−アルキレン基であり；
Ｂは、分枝であり；
Ｅは、式
【化４】
2008535991.tif 000006
で示されるアルキレンオキシ単位であり、
Ｒ1は、１，２−プロピレン、１，２−ブチレン及び／又は１，２−イソブチレンであり；
Ｒ2は、エチレンであり；
Ｒ3は、１，２−プロピレンであり；
Ｒ4は、同じか又は異なる基：水素；Ｃ1〜Ｃ4−アルキルであり；
ｘ、ｙ、ｚはその都度２〜１５０の数であり、ここでｘ＋ｙ＋ｚの総和は、３００〜１０ ０００のアルキル化前のポリアルキレンイミンの平均分子量Ｍwに対応するアルキレンイミン単位の数を意味し；
ｍは０〜２の有理数であり；
ｎは６〜１８の有理数であり；
ｐは３〜１２の有理数であり、ここで０．８≦ｎ／ｐ≦１．０（ｘ＋ｙ＋ｚ）１／２である］で示される両親媒性の水溶性アルコキシル化ポリアルキレンイミン及びそれらの四級化生成物が見出された。
【００１３】
本発明によるアルコキシル化ポリアルキレンイミンの本質的な性質は、それらの両親媒性であり、すなわち、これらは、疎水性及び親水性の構造要素の釣り合いのとれた量比を有し、かつそれにより、一方では、脂肪状の汚れを吸着し、かつこれらを界面活性剤並びに洗濯用洗剤及び洗浄剤のその他の洗浄活性成分と共に、処理すべき表面から除去するために十分に疎水性であるが、しかしまた他方では、洗液及び清浄液中の剥がれた油性汚れを保持し、かつ表面上へのその再沈着を防止するために十分に親水性である。
【００１４】
この効果は、アルコキシル化ポリアルキレンイミンが、内側にあるポリエチレンオキシドブロック及び外側にあるポリプロピレンオキシドブロックを有し、エトキシル化度及びプロポキシル化度がその際に特別な限界値を下回らないかもしくは上回らず、かつそれらの比が少なくとも０．８であり、かつ上限が、使用されるポリアルキレンイミンの分子量の実験的に見出された関係ｎ／ｐ≦１．０（ｘ＋ｙ＋ｚ）1/2により決定される範囲内であることによって達成される。
【００１５】
本発明によるアルコキシル化ポリアルキレンイミンは、次の部分の形の、アルキレン基Ｒによって結合された第一級、第二級及び第三級のアミン窒素原子をランダムな配置で含有する基本骨格を有する：
・水素原子がその後アルキレンオキシ単位により置換される、基本骨格の主鎖及び側鎖の末端をなす第一級アミノ部分：
【化５】
2008535991.tif 000007
・水素原子がその後アルキレンオキシ単位により置換される第二級アミノ部分：
【化６】
2008535991.tif 000008
・主鎖及び側鎖を分枝する第三級アミノ部分：
【化７】
2008535991.tif 000009
【００１６】
ポリアルキレンイミンは、アルキル化前に、３００〜１０ ０００の平均分子量Ｍwを有する。第一級、第二級及び第三級のアミノ部分の繰返し単位の総和ｘ＋ｙ＋ｚは、その場合に、これらの分子量に相応するアルキレンイミン単位の全数を意味する。
【００１７】
好ましくは、ポリアルキレンイミンの分子量Ｍwは、５００〜７５００及び特に好ましくは１０００〜６０００である。
【００１８】
アミン窒素原子を結合する基Ｒは、同じか又は異なり、線状又は分枝鎖状のＣ2〜Ｃ6−アルキレン基であってよい。好ましい分枝鎖状アルキレンは１，２−プロピレンである。アルキレン基Ｒとして特に好ましいのはエチレンである。
【００１９】
ポリアルキレンイミン基本骨格の生成の際に環化が可能であるので、もちろん、非環状の第一級及び第二級のアミノ部分のようにアルコキシル化される環状アミノ部分も少ない程度で基本骨格中に含まれていてよい。
【００２０】
ポリアルキレンイミン基本骨格の第一級及び第二級のアミノ基の水素原子は、式
【化８】
2008535991.tif 000010
で示されるアルキレンオキシ単位により置換されている。
【００２１】
ここで、符号は次の意味を有する：
Ｒ1は、１，２−プロピレン、１，２−ブチレン及び／又は１，２−イソブチレン、好ましくは１，２−プロピレンであり；
Ｒ2は、エチレンであり；
Ｒ3は、１，２−プロピレンであり；
Ｒ4は、水素又はＣ1〜Ｃ4−アルキル、好ましくは水素であり；
ｍは０〜２の有理数であり；ｍ≠０である場合には、好ましくは約１であり；
ｎは６〜１８の有理数であり；
ｐは３〜１２の有理数であり、ここで０．８≦ｎ／ｐ≦１．０（ｘ＋ｙ＋ｚ）1/2である。
【００２２】
好ましくは、ｎ及びｐは次の意味を有する：
ｎは７〜１５の有理数であり；
ｐは４〜１０の有理数であり、ここで０．９≦ｎ／ｐ≦０．８（ｘ＋ｙ＋ｚ）1/2である。
【００２３】
特に好ましくは、ｎ及びｐは次の意味を有する：
ｎは８〜１２の有理数であり；
ｐは５〜８の有理数であり、その際に１．０≦ｎ／ｐ≦０．６（ｘ＋ｙ＋ｚ）1/2である。
【００２４】
エチレンオキシ単位−（Ｒ2−Ｏ）n−及びプロピレンオキシ単位−（Ｒ3−Ｏ）p−は、これらのアルキレンオキシ単位の本質的な成分を形成する。
【００２５】
アルキレンオキシ単位は、さらに加えて、少ない割合のプロピレンオキシ単位又はブチレンオキシ単位−（Ｒ1−Ｏ）m−を有していてよく、すなわち、ポリアルキレンイミンは、まず最初に、含まれているＮＨ部分１molあたり２molまで、特に０．５〜１．５mol、とりわけ０．８〜１．２molの少ない量のプロピレンオキシド又はブチレンオキシドと反応される、すなわち初期アルコキシル化されることができる。
【００２６】
ポリアルキレンイミンのこの変性により、必要な場合には、アルコキシル化の際の反応混合物の粘度は低下されることができる。しかしながら、この変性は、通例、アルコキシル化ポリアルキレンイミンの適用特性に影響を及ぼさず、故に好ましい措置ではない。
【００２７】
最後に、本発明によるアルコキシル化ポリアルキレンイミンは、四級化されていてもよい。５０％まで、特に５〜４０％の四級化度が適している。四級化は、好ましくは、Ｃ1〜Ｃ4−アルキル基の導入により行われ、かつ相応するハロゲン化アルキル及び硫酸ジアルキルとの反応により常法で実施されることができる。
【００２８】
四級化は、アルコキシル化ポリアルキレンイミンを、これらが使用されるべきである洗濯用洗剤及び洗浄剤のそれぞれの組成に適合させるため、及びこの配合物のより良好な相溶性及び／又は相安定性を達成するために有利でありうる。好ましくは、アルコキシル化ポリアルキレンイミンは四級化されない。
【００２９】
本発明によるアルコキシル化ポリアルキレンイミンは、知られた方法で製造されることができる。
【００３０】
好ましい手順は、まず最初に第一工程において、ポリアルキレンイミンの初期アルコキシル化(Analkoxylierung)のみを実施することにある。
【００３１】
その場合に、ポリアルキレンイミンは、ＮＨ部分１molあたりエチレンオキシド約１molに相当する、全体として使用されるエチレンオキシドの部分量とのみ、又は、ポリアルキレンイミンがまず最初にＮＨ部分１molあたり２molまでのプロピレンオキシド又はブチレンオキシドで変性されるべき場合には、ここでもまず最初に、このアルキレンオキシド１molまでとのみ反応される。
【００３２】
この反応は、通例、水溶液中で触媒の不在で７０〜２００℃、好ましくは８０〜１６０℃で、１０barまで、特に８barまでの圧力下に実施される。
【００３３】
第二工程において、ついで、さらなるアルコキシル化は、ｉ）残りの量のエチレンオキシド、もしくは第一工程における高級アルキレンオキシドによる変性の場合に全量のエチレンオキシドと、及びｉｉ）プロピレンオキシドとの連続した反応により行われる。
【００３４】
さらなるアルコキシル化は、通常、塩基性触媒の存在で実施される。適した触媒の例は、アルカリ金属水酸化物及びアルカリ土類金属水酸化物、例えば水酸化ナトリウム、水酸化カリウム及び水酸化カルシウム、アルカリ金属アルコラート、特にナトリウム−Ｃ1〜Ｃ4−アルカノラート及びカリウム−Ｃ1〜Ｃ4−アルカノラート、例えばナトリウムメチラート、ナトリウムエチラート及びカリウム−ｔ−ブチラート、アルカリ金属水素化物及びアルカリ土類金属水素化物、例えば水素化ナトリウム及び水素化カルシウム、及びアルカリ金属炭酸塩、例えば炭酸ナトリウム及び炭酸カリウムである。その場合にアルカリ金属水酸化物及びアルカリ金属アルコラートが好ましく、その際に水酸化カリウム及び水酸化ナトリウムが特に好ましい。塩基のための常用の使用量は、ポリアルキレンイミン及びアルキレンオキシドの全量を基準として、０．０５〜１０質量％、とりわけ０．５〜２質量％である。
【００３５】
さらなるアルコキシル化は、バルクで（変法ａ））又は有機溶剤中で（変法ｂ））実施されることができる。以下に記載された処理条件は、エトキシル化のため並びにその後のプロポキシル化のために使用されることができる。
【００３６】
変法ａ）の場合に、初期アルコキシル化されたポリアルキレンイミンの第一工程において得られた水溶液は触媒の添加後にまず最初に脱水される。これは、８０〜１５０℃への加熱及び０．０１〜０．５barの減圧下での水の留去により単純な方法で行われることができる。引き続きアルキレンオキシドとの反応は、通常、７０〜２００℃、好ましくは１００〜１８０℃及び１０barまで、とりわけ８barまでの圧力で行われ、その際にその都度、約０．５〜４hの後撹拌時間が約１００〜１６０℃並びに圧力一定で続けられる。
【００３７】
変法ｂ）のための反応媒体として、特に無極性及び極性の非プロトン性有機溶剤が適している。特に適した無極性非プロトン性溶剤の例として、脂肪族及び芳香族の炭化水素、例えばヘキサン、シクロヘキサン、トルエン及びキシレン類を挙げることができる。特に適した極性非プロトン性溶剤の例は、エーテル、特に環状エーテル、例えばテトラヒドロフラン及びジオキサン、Ｎ，Ｎ−ジアルキルアミド、例えばジメチルホルムアミド及びジメチルアセトアミド、及びＮ−アルキルラクタム、例えばＮ−メチルピロリドンである。もちろん、これらの非プロトン性溶剤の混合物も使用されることができる。好ましい溶剤はキシレン及びトルエンである。
【００３８】
変法ｂ）の場合にも、第一工程において生じる溶液は、触媒及び溶剤の添加後に、まず最初に脱水され、これは、有利に水の分離(Auskreisen)により、１２０〜１８０℃の温度で、好ましくは弱い窒素流により補助されて、行われる。引き続きアルキレンオキシドとの反応は、変法ａ）の場合のように行われることができる。
【００３９】
変法ａ）の場合に、アルコキシル化ポリアルキレンイミンは直接、バルクで生じ、かつ所望の場合には水溶液へ変換されることができる。変法ｂ）の場合に、有機溶剤は、通常、除去され、かつ水により置換される。もちろん、生成物はバルクでも単離されることができる。
【００４０】
本発明によるアルコキシル化ポリアルキレンイミンは、蒸留水中の１質量％溶液として、通例≦７０℃、好ましくは≦６５℃の曇り点を有する。特に好ましくは、曇り点は２５〜５５℃の範囲内である。
【００４１】
本発明によるアルコキシル化ポリアルキレンイミンは、洗濯用洗剤及び洗浄剤用の汚れ剥離を促進する添加剤として傑出して適している。その場合に、これらは特に、油性汚れの場合に剥がす高い作用を示す。これらが、低い洗浄温度で既に、汚れを剥がす作用を発揮することは特に有利である。
【００４２】
本発明によるアルコキシル化ポリアルキレンイミンは、洗濯用洗剤及び洗浄剤に、それぞれの全組成を基準として、一般的に０．０５〜１０質量％、好ましくは０．１〜５質量％及び特に好ましくは０．２５〜２．５質量％の量で添加されることができる。
【００４３】
それに加えて、洗濯用洗剤及び洗浄剤は、通例、界面活性剤及び場合により洗浄活性物質としての別のポリマー、ビルダー及び別の常用の成分、例えばコビルダー、錯化剤、漂白剤、エキステンダー(Stellmittel)、灰色化防止剤、色移り防止剤、酵素及び香料を含有する。
【実施例】
【００４４】
Ｉ．本発明によるアルコキシル化ポリアルキレンイミンの製造
例１
初期エトキシル化
２lオートクレーブ中で、ポリエチレンイミン５０００（５０００の平均分子量Ｍw）の５０質量％水溶液９００gを８０℃に加熱し、窒素で５barの圧力まで３回すすいだ。９０℃に温度を増大させた後に、エチレンオキシド４６１gを５barまで計量供給した。これを５barの一定の圧力下に９０℃で１h後撹拌した。揮発分を窒素でのストリッピングにより除去した。
【００４５】
ＮＨ結合１molあたりエチレンオキシド１molを含有するポリエチレンイミン５０００  ６８質量％水溶液１３４５gが得られた。
【００４６】
ａ）バルクでのエトキシル化及びプロポキシル化
２lオートクレーブ中で、初期エトキシル化の際に得られた水溶液１６３g及び４０質量％水酸化カリウム水溶液１３．９gからなる混合物を７０℃に加熱した。窒素で５barの圧力まで３回すすいだ後に、混合物を１２０℃及び１０mbarの真空で４h脱水した。引き続いて、エチレンオキシド５０６gを１２０℃で８barの圧力まで計量供給した。これを１２０℃及び８barで４h後撹拌した。減圧し、窒素ですすいだ後に、プロピレンオキシド５１９gを１２０℃で８barの圧力まで計量供給した。これを、改めて１２０℃及び８barで４h後撹拌した。揮発分を窒素でのストリッピングにより除去した。
【００４７】
ＮＨ結合１molあたりエチレンオキシド１０mol及びプロピレンオキシド７molを含有するポリエチレンイミン５０００  １１７８gが、淡褐色の粘稠液体の形で得られた（アミンタイター：０．９２７６mmol/g；１質量％水溶液のｐＨ値：１０．６７）。
【００４８】
ｂ）キシレン中でのエトキシル化及びプロポキシル化
２lオートクレーブ中で、初期エトキシル化の際に得られた水溶液１３７g、４０質量％水酸化カリウム水溶液１１．８g及びキシレン３００gからなる混合物を窒素で５barの圧力まで３回すすいだ。１７５℃のジャケット温度で、含まれている水を４hかけて水分離器を用いて、弱い窒素流により補助して分離した。引き続いて、エチレンオキシド４２８gを１２０℃で３barの圧力まで計量供給した。これを３barの一定の圧力下に１２０℃で２h後撹拌した。ついで、プロピレンオキシド４３９gを１２０℃で３barの圧力まで計量供給した。これを１２０℃及び３barで３h後撹拌した。１０mbarの真空下に溶剤を除去した後に、アルコキシル化生成物を、水蒸気４barで１２０℃で３hストリッピングした。
【００４９】
ＮＨ結合１molあたりエチレンオキシド１０mol及びプロピレンオキシド７molを含有するポリエチレンイミン５０００  ９５６gが、淡褐色の粘稠液体の形で得られた（アミンタイター：０．９６７２mmol/g；１質量％水溶液のｐＨ値：１０．６９）。
【００５０】
例２
２lオートクレーブ中で、例１に類似して初期エトキシル化の際に得られたポリエチレンイミン５０００（ＮＨ結合１molあたりエチレンオキシド１mol）  ６９．２質量％水溶液３２１g及び４０質量％水酸化カリウム水溶液２８gからなる混合物を８０℃に加熱した。窒素で５barの圧力まで３回すすいだ後に、混合物を、１２０℃及び１０mbarの真空で３h脱水した。引き続いて、エチレンオキシド１０２０gを１２０℃で８barの圧力まで計量供給した。ついで、１２０℃及び８barで４h後撹拌した。揮発分を窒素でのストリッピングにより除去した。
【００５１】
ＮＨ結合１molあたりエチレンオキシド９．９molを含有するポリエチレンイミン５０００  １２４０gが、褐色の粘稠溶液の形で得られた（アミンタイター：１．７７６３mmol/g；１質量％水溶液のｐＨ値：１１．３）。
【００５２】
エトキシル化生成物２３９gを、ついで窒素で５barの圧力まで３回すすいだ後に、１２０℃で、プロピレンオキシド約８７g（測定精度＋／−１５g）と８barの圧力まで反応させた。ついで、１２０℃及び８barで４h後撹拌した。揮発分を窒素でのストリッピングにより除去した。
【００５３】
ＮＨ結合１molあたりエチレンオキシド９．９mol及びプロピレンオキシド３．５molを含有するポリエチレンイミン５０００  ３４０gが、淡褐色の粘稠液体の形で得られた（アミンタイター：１．２１９９mmol/g；１質量％水溶液のｐＨ値：１１．０５）。
【００５４】
例３
初期エトキシル化
２lオートクレーブ中で、ポリエチレンイミン６００（６００の平均分子量Ｍw）５１６g及び水１０．３gからなる混合物を窒素で５barの圧力まで３回すすぎ、９０℃に加熱した。ついで、エチレンオキシド５２８gを９０℃で計量供給した。これを５barの一定の圧力下に９０℃で１h後撹拌した。揮発分（特に水）を窒素でのストリッピングにより除去した。
【００５５】
ＮＨ結合１molあたりエチレンオキシド１molを含有するポリエチレンイミン６００  １０４０gが褐色の液体の形で得られた。
【００５６】
バルクでのエトキシル化及びプロポキシル化
２lオートクレーブ中で、初期エトキシル化されたポリエチレンイミン６００  ８６g及び４０質量％水酸化カリウム水溶液１０．８gからなる混合物を８０℃に加熱した。窒素で５barの圧力まで３回すすいだ後に、混合物を１２０℃及び１０mbarの真空で２．５h脱水した。真空を窒素で相殺した後に、エチレンオキシド３８４gを１２０℃で計量供給した。これを１２０℃で２h後撹拌した。減圧及び窒素ですすいだ後に、プロピレンオキシド３９３gを１２０℃で計量供給した。これを、改めて１２０℃で２h後撹拌した。揮発分を窒素でのストリッピングにより除去した。
【００５７】
ＮＨ結合１molあたりエチレンオキシド１０mol及びプロピレンオキシド７molを含有するポリエチレンイミン６００  ８６５gが、淡褐色の粘稠液体の形で得られた（アミンタイター：１．０１３７mmol/g；１質量％水溶液のｐＨ値：１１．１５）。
【００５８】
例４
窒素下に６０℃で撹拌され、例１ｂ）において得られたアルコキシル化ポリエチレンイミン５０００  ３００gに、硫酸ジメチル７．３gを滴加した。その際に温度は７０℃に上昇した。７０℃で３時間の後撹拌後に、室温に冷却した。
【００５９】
ＮＨ結合１molあたりエチレンオキシド１０mol及びプロピレンオキシド７molを含有し、かつ２２％の四級化度を有するポリエチレンイミン５０００  ３０７gが、褐色の粘稠液体の形で得られた（アミンタイター：０．７５１４mmol/g）。
【００６０】
ＩＩ．洗浄の際の本発明によるアルコキシル化ポリアルキレンイミンの使用
これらの汚れ剥離を促進する作用を試験するためには、アルコキシル化ポリアルキレンイミンを、３つの試験系列で、モデル洗濯用洗剤としての第１表に挙げた界面活性剤及びビルダー又は市場で入手可能な洗濯用洗剤と共に、洗液に添加した。第２表に記載された試験布を、ついで、第３ａ表、第４ａ表及び第５ａ表に挙げた洗浄条件下に洗浄した。
【００６１】
試験布の汚れ剥離を、試験布を洗浄の前後に、４６０nmで反射を測定することによって決定した。汚れ除去を、洗浄の前後の反射値Ｒ並びに白色の参考綿布の反射値から次の式により％で決定した：
【数１】
2008535991.tif 000011
【００６２】
全ての洗浄を２回実施した。洗浄結果の際に第３ｂ表、第４ｂ表及び第５ｂ表に記載された汚れ除去についての値は、同じ条件下に得られた測定値の平均に相当する。比較のために、その都度ポリマー添加せずに得られた値が記載されている。
【００６３】
使用量に関する全ての記載は、活性物質１００％を基準としている。
【００６４】
【表１】
2008535991.tif 000012
【００６５】
【表２】
2008535991.tif 000013
【００６６】
【表３】
2008535991.tif 000014
【００６７】
【表４】
2008535991.tif 000015
【００６８】
洗浄試験の結果は、本発明によるアルコキシル化ポリアルキレンイミンの添加により綿布からの脂肪状及び油状の汚れの汚れ剥離が明らかに改善されることを示している。
【国際調査報告】
2008535991.tif 000018
2008535991.tif 000019
2008535991.tif 000020
2008535991.tif 000021